(57)【要約】【課題】  プリントや画像保存のストレージや画像送信などを行うと共に、プリントや保存する画像の全貌を簡単に把握しやすいカメラ及び画像処理装置並びに画像処理システムを提供することである。【解決手段】  プリントシステム１は、複数の撮影画像を並べて表示する表示部１６と、この表示部１６に表示された画像を一括送信する通信部１８と、を有するカメラ１０を備えている。更にこのプリントシステム１は、上記複数の画像を一度の通信で受信する通信部６３と、上記カメラ１０から受信する回数を判定する判定部６１ａと、を有し、上記判定部６１ａの判定結果に従って、表示制御部６６が、画像表示の態様を変更するプリンタサーバ６０を備えている。【選択図】      図１
2010057021.tif 000002
【特許請求の範囲】
【請求項１】
複数の撮影画像を並べて表示する表示部と、上記表示部に表示された画像を切替える画像切替制御部と、上記撮影画像を外部に送信する通信部と、を有するカメラに於いて、
上記表示部に複数の画像を表示した状態で、上記通信部を作動させた場合には、上記通信部が、上記表示部に表示された上記複数の画像を送信することを特徴とするカメラ。
【請求項２】
上記カメラに於いて、
上記表示部に複数の画像を表示した状態で、上記通信部を作動させた場合には、上記通信部が、上記表示部に並べられた複数画像の配置情報を合わせて送信することを特徴とする請求項１のカメラ。
【請求項３】
複数の撮影画像を並べて表示する表示部と、上記表示部に表示された画像を切替える画像切替制御部と、上記撮影画像を外部に送信する通信部と、を有するカメラに於いて、
上記表示部に複数の画像を表示した状態で、上記通信部を作動させた場合には、上記画像切替制御部が、上記表示部に表示された複数の画像表示を全て別画像に切り替えることを特徴とするカメラ。
【請求項４】
表示部に表示されている画像を切り替えるための再生画像切替操作部を更に具備し、
ユーザが上記再生画像切替操作部を操作した時には、上記画像切替表示部が、上記複数の画像表示を１画像毎に別画像に切り替えることを特徴とする請求項３に記載のカメラ。
【請求項５】
複数の画像を一度の通信で受信する受信部と、上記受信部にて、複数回にわたって受信した画像を表示する表示部と、上記表示部の表示態様を制御する表示制御部と、を有する画像処理装置に於いて、
上記受信部で受信する回数を判定する受信回数判定部を更に具備し、
上記受信回数判定部の判定結果に従って、上記表示制御部が上記画像表示の態様を変更することを特徴とする画像処理装置。
【請求項６】
上記表示制御部は、上記一度の通信で受信する画像数に従って、上記画像表示の態様を変更することを特徴とする請求項５に記載の画像処理装置。
【請求項７】
上記表示制御部は、上記受信回数判定部によって判定された受信回数に従って、受信画像の大きさを変更し、上記一度の通信で受信した複数画像がひとまとまりで表示できるよう、上記表示態様を制御することを特徴とする請求項５に記載の画像処理装置。
【請求項８】
複数の撮影画像を並べて表示する表示部と、上記表示部に表示された画像を一括送信する送信部と、を有するカメラと、
上記複数の画像を一度の通信で受信する受信部と、上記カメラから受信する回数を判定する受信回数判定部と、を有し、上記受信回数判定部の判定結果に従って、上記表示制御部が、上記画像表示の態様を変更する画像処理装置と、
を具備することを特徴とする画像処理システム。
【請求項９】
被写体を撮影する撮影部と、
上記撮影部で撮影された複数の画像を並べて表示可能な表示部と、
上記表示部に表示された画像を切替える画像切替制御部と、
上記画像を外部に送信するものであって、上記表示部に複数の画像が表示された状態で作動された場合は、上記表示部に表示された上記複数の画像を送信する通信部と、
を具備することを特徴とするカメラ。
【請求項１０】
上記画像切替制御部は、上記表示部に複数の画像が表示された状態で、上記通信部が作動された場合には、上記表示部に表示された上記複数の画像表示を全て別の画像に切り替えることを特徴とする請求項９に記載のカメラ。
【請求項１１】
表示部に表示されている画像を切り替えるための再生画像切替操作部を更に具備し、
上記再生画像切替操作部が操作された場合には、上記画像切替表示部が、上記複数の画像表示を１画像毎に別画像に切り替えることを特徴とする請求項１０に記載のカメラ。
【請求項１２】
複数の画像を一度の通信で受信する受信部と、
上記受信部にて、複数回にわたって受信した画像を表示する表示部と、
上記受信部で受信する回数を判定する受信回数判定部と、
上記受信回数判定部の判定結果に従って、上記画像表示の態様を変更する表示制御部と、
を具備することを特徴とする画像処理装置。
【請求項１３】
上記表示制御部は、上記受信回数判定部によって判定された受信回数に従って、受信画像の大きさを変更し、上記一度の通信で受信した複数画像がひとまとまりで表示できるように、上記表示態様を制御することを特徴とする請求項１２に記載の画像処理装置。
【請求項１４】
被写体を撮影する撮影部と、上記撮影部で撮影された複数の画像を並べて表示可能な表示部と、上記画像を外部に送信するものであって、上記表示部に複数の画像が表示された状態で作動された場合は、上記表示部に表示された上記複数の画像を送信する通信部と、を有するカメラと、
複数の画像を一度の通信で受信する受信部と、上記受信部にて、複数回にわたって受信した画像を表示する表示部と、上記受信部で受信する回数を判定する受信回数判定部と、上記受信回数判定部の判定結果に従って、上記表示部に表示された画像の態様を変更する表示制御部と、を有する画像処理装置と、
を具備することを特徴とする画像処理システム。
【発明の詳細な説明】
【技術分野】
【０００１】
本発明はカメラ及び画像処理装置並びに画像処理システムに関し、より詳細には、デジタルカメラで撮影した画像を、効率よくプリントアウトして楽しめる画像処理システムに関するものである。
【背景技術】
【０００２】
フィルムカメラの時代には、フィルムをラボに持ち込んで、プリント出力までを一貫して手がけてくれるモデルが確立していた。これに対し、デジタルカメラでは、消去や書換えが自分ででき、且つ、画像を記録するメモリの容量も増大化して、写真画像がそのままプリントされずに忘れ去られてしまうことが多い。これは、フィルムカメラの時代には少なかった問題であり、ユーザは新しいフィルムを入れるために、古いフィルムは、ラボに出すだけで良い、といったサイクルが自然に確立していた。しかも、人が管理できる２０〜３０枚の写真が一つの単位（フィルムの撮影可能枚数）となっていて、プリント料金なども把握しやすいものであった。
【０００３】
デジタルカメラでもメモリカードがあるが、これは、フィルムほど買い換えるものではない上に、上述したように、ユーザにより消去可能なので、撮影できなくなる前に、前のものは消してしまうような処置が可能であった。また、これらのカードには膨大な写真が記録することができるので、それをそのまま、店に渡すような文化や行動様式は、一般化、普及しにくいものであった。
【０００４】
また、ユーザ自ら、カメラからメモリカードを取り出して、これを店頭に設置したラボ機に挿入し、一覧表示した画像を選択してプリント指定するシステムも普及している。しかしながら、メモリカードの出し入れが面倒で、プリント指定も面倒で時間がかかるため、忙しい時には、なかなかこうした機会を見つけることは困難であった。更に、どれをプリントするかを決めるために、小さな画像を確認する必要があり、非常に使いにくいものであった。加えて、焼増しなども、画像が小さくて確認が困難であった。
【０００５】
近年、メモリの大容量化が進み、ますます、カメラ内に画像を溜め込むことが可能で、プリントをする機会が失われつつある。一方で、デジタル化された情報ならではの画像の取り扱いは急速に進展しており、パーソナルコンピュータ（ＰＣ）を介してネット上のサーバに画像記録を行ったり、ネットを介して画像プリントを依頼したりするようなシステムも構築されている。
【０００６】
また、店頭プリント等でも、デジタル画像を解析しての改良も進んでおり、例えば、顔の部分の露出を補正したり、画像の特徴を調べて、焼増しの枚数などを自動的に決定したりするような提案もなされている。
【０００７】
しかしながら、相変わらず、簡単に必要なプリントを、間違いなく行う技術の確立はできていないのが現状である。
【０００８】
また、例えば、下記特許文献１には、プリンタにサムネイル画像を読み込ませて表示し、そこからカメラの画像を選ぶとカメラから画像送信される技術が記載されている。
【特許文献１】特開２００７−１８１９６４号公報
【発明の開示】
【発明が解決しようとする課題】
【０００９】
しかしながら、上記特許文献１に記載の技術は、サムネイル画像が大量に出力されてしまうので、選択するのが大変である。また、サムネイル画像を拡大して確認するときも、時間がかかるものであった。
【００１０】
したがって本発明は上記実情に鑑みてなされたものであり、その目的は、画像のプリントの設定が容易で、所望の画像を迅速に選択することが可能なカメラを提供することである。
【００１１】
また、本発明の目的は、プリントや画像保存のストレージや画像送信などを行うと共に、プリントや保存する画像の全貌を簡単に把握しやすいカメラ及び画像処理装置並びに画像処理システムを提供することである。
【課題を解決するための手段】
【００１２】
すなわち本発明は、複数の撮影画像を並べて表示する表示部と、上記表示部に表示された画像を切替える画像切替制御部と、上記撮影画像を外部に送信する通信部と、を有するカメラに於いて、上記表示部に複数の画像を表示した状態で、上記通信部を作動させた場合には、上記通信部が、上記表示部に表示された上記複数の画像を送信することを特徴とする。
【００１３】
また、本発明は、複数の撮影画像を並べて表示する表示部と、上記表示部に表示された画像を切替える画像切替制御部と、上記撮影画像を外部に送信する通信部と、を有するカメラに於いて、上記表示部に複数の画像を表示した状態で、上記通信部を作動させた場合には、上記画像切替制御部が、上記表示部に表示された複数の画像表示を全て別画像に切り替えることを特徴とする。
【００１４】
更に、本発明は、複数の画像を一度の通信で受信する受信部と、上記受信部にて、複数回にわたって受信した画像を表示する表示部と、上記表示部の表示態様を制御する表示制御部と、を有する画像処理装置に於いて、上記受信部で受信する回数を判定する受信回数判定部を更に具備し、上記受信回数判定部の判定結果に従って、上記表示制御部が上記画像表示の態様を変更することを特徴とする。
【００１５】
本発明は、複数の撮影画像を並べて表示する表示部と、上記表示部に表示された画像を一括送信する送信部と、を有するカメラと、上記複数の画像を一度の通信で受信する受信部と、上記カメラから受信する回数を判定する受信回数判定部と、を有し、上記受信回数判定部の判定結果に従って、上記表示制御部が、上記画像表示の態様を変更する画像処理装置と、を具備することを特徴とする。
【００１６】
また、本発明は、被写体を撮影する撮影部と、上記撮影部で撮影された複数の画像を並べて表示可能な表示部と、上記表示部に表示された画像を切替える画像切替制御部と、上記画像を外部に送信するものであって、上記表示部に複数の画像が表示された状態で作動された場合は、上記表示部に表示された上記複数の画像を送信する通信部と、を具備することを特徴とする。
【００１７】
そして、本発明は、複数の画像を一度の通信で受信する受信部と、上記受信部にて、複数回にわたって受信した画像を表示する表示部と、上記受信部で受信する回数を判定する受信回数判定部と、上記受信回数判定部の判定結果に従って、上記画像表示の態様を変更する表示制御部と、を具備することを特徴とする。
【００１８】
本発明は、被写体を撮影する撮影部と、上記撮影部で撮影された複数の画像を並べて表示可能な表示部と、上記画像を外部に送信するものであって、上記表示部に複数の画像が表示された状態で作動された場合は、上記表示部に表示された上記複数の画像を送信する通信部と、を有するカメラと、複数の画像を一度の通信で受信する受信部と、上記受信部にて、複数回にわたって受信した画像を表示する表示部と、上記受信部で受信する回数を判定する受信回数判定部と、上記受信回数判定部の判定結果に従って、上記表示部に表示された画像の態様を変更する表示制御部と、を有する画像処理装置と、を具備することを特徴とする。
【発明の効果】
【００１９】
本発明によれば、画像のプリントの設定が容易で、所望の画像を迅速に選択することが可能なカメラを提供することができる。
【００２０】
また、本発明によれば、プリンタや画像保存のストレージや画像送信などを行う画像処理装置を提供することができる。
【００２１】
更に、本発明によれば、プリントや保存する画像の全貌を簡単に把握しやすいカメラ及び画像処理システムを提供することができる。
【発明を実施するための最良の形態】
【００２２】
以下、図面を参照して本発明の実施形態について説明する。
【００２３】
図１は、本発明の画像処理システムの一実施形態に係るプリントシステムを示すもので、（ａ）はシステム全体の概略構成を示した図、（ｂ）は（ａ）のカメラの構成を示したブロック図、（ｃ）は（ａ）のプリンタサーバの構成を示したブロック図、（ｄ）は再生画像の例を示した図、（ｅ）は（ａ）のモニタ４０に（ｄ）の再生画像が表示された例を示した図である。
【００２４】
図１（ａ）に於いて、このプリントシステム１は、カメラ１０と、プリンタ３０と、該プリンタ３０用のモニタ（プリンタ用モニタ）４０と、プリンタサーバ６０とを有して構成されるものであり、それぞれの機器は通信系１００を介して接続されている。
【００２５】
カメラ１０は、図１（ｂ）に示されるように、切替部１１ａを有する制御部１１と、撮影部１２と、時計部１３と、記録部１４と、操作部１５と、表示部１６と、通信部１８、及び電源部１９とを有して構成される。
【００２６】
上記制御部１１は、このカメラ１０全体の制御動作を司る制御手段であり、ＣＰＵ等により構成される。切替部１１ａは、後述するように、操作部１５によってモニタ４０に表示されている画像を切り替えるための手段である。撮影部１２は、図示されない被写体からの光学像を結像して得られた画像を出力するもので、撮像素子であるＣＣＤ等により構成される。時計部１３は、撮影時に、その時刻を記録するためのものである。
【００２７】
記録部１４は、撮影部１２で得られた画像を記録するための記録手段である。操作部１５は、このカメラ１０の各種操作入力をするためのもので、例えば、十字キーや、タッチパネル等の操作スイッチ、撮影用レリーズスイッチ等が含まれる。表示部１６は、撮影して記録された画像を再生して表示するための表示手段であり、液晶や有機ＥＬ等から構成される。
【００２８】
通信部１８は、撮影部１２によって得られた画像を、外部に出力するための通信手段である。この通信部１８によって、プリンタサーバ６０と通信が可能であり、データの送受信を可能としている。この通信の手段としては、無線ＬＡＮやブルートゥース、ワイヤレスＵＳＢ、赤外通信、更にはＩＣタグを応用した高速通信等が考えられる。
【００２９】
また、電源部１９は、このカメラ１０全体の各部が必要とする電圧を供給するためのものである。
【００３０】
上記プリンタサーバ６０は、受信回数、及び一度に受信する画像数を判定する判定部６１ａを有する制御部６１と、操作部６２と、通信部６３と、仮記憶部６５と、表示制御部６６と、プリント制御部６７と、を有して構成される。
【００３１】
上記制御部６１は、このプリンタサーバ６０全体の制御動作を司るものであり、判定部６１ａは、カメラ１０から送信された画像をプリンタサーバ３０で受信した回数や、一回の受信で得られた画像数をカウントして判定するためのものである。また、カメラ１０が送信してくる、画像のレイアウト情報などを考慮して、送られて来た複数画像の並びなどを判定し、それに応じた表示制御を行う。
【００３２】
操作部６２は、ユーザ１１０の操作を受け付けるものである。通信部６３は、通信系１００を経てカメラ１０の通信部１８から取得された画像データ等を送受信するための通信手段である。仮記憶部６５は、通信部６３を経てプリント指示のデータを記憶するためのものである。
【００３３】
表示制御部６６は、仮記憶部６５に記憶されたデータの画像を表示制御するためのものであり、プリント制御部６７は、プリンタ３０の駆動を制御する。
【００３４】
このような構成のプリントシステム１に於いて、ユーザ１１０は、カメラ１０とプリンタ３０用のモニタ４０を見ながら、プリンタ３０で印刷するプリントの画像や枚数を決定する。このプリンタ３０やプリンタ用モニタ４０は、プリンタサーバ６０によって動作が制御されている。
【００３５】
カメラ１０の制御部１１では、ユーザ１１０の操作が判定されて、再生画像が、例えば図１（ｄ）に示されるように、表示部１６に表示される。ユーザ１１０は、この再生画像を送信するかどうか、操作部１５の十字キーやタッチパネル等の操作スイッチを利用して決定する。ここで、画像の切り替え操作を行うと、切替部１１ａによって、モニタ４０の表示画像が順次切り替えられて、送信画像を切り替えることができる。
【００３６】
こうして、ユーザ１１０が一覧表示画像を選んで送信操作を行うと、図１（ｅ）に示されるように、モニタ４０の画面には、カメラ１０で表示したそのままの表示で、送信された画像群４１が表示される。また、こうして積算されたプリントの総数やかかる費用等を合わせてモニタ４０の画面に表示してもよい。
【００３７】
ここで、ユーザ１１０は、自分がカメラ１０上で表示した画像と同じような表示で確認することができるので、カメラ１０からプリンタ３０に正しく送信されたがどうかを直感的に確認することができる。
【００３８】
こうしてプリンタ３０に送られた画像に対して、プリントの有無や、焼増し枚数を設定すれば、その都度、費用表示がなされ、安心して間違いのないプリントを行うことが可能となる。また、こうして正しく送信がなされた場合、その旨をカメラの通信部１８は、プリンタサーバ６０から信号として受け取って、再度の送信に備える。
【００３９】
この時、いちいち、すでに送信された画像の次の画像を選択するのは面倒なので、切替部１１ａによってこれを判定して、表示画像を一括で変更するようにしてもよい。
【００４０】
次に、図２のフローチャートを参照して、このようなプリントシステムに於けるカメラの制御動作について説明する。
【００４１】
尚、このカメラ１０の制御動作は、主に制御部１１の指令に従って行われる。
【００４２】
先ず、ステップＳ１に於いて、カメラ１０が撮影モードであるか否かが判定される。このカメラ１０により撮影される場合は、ステップＳ２に移行して、制御部１１により各部位が制御されて、撮影部１２で取り込まれた画像が表示部１６で表示されて、フレーミング等が可能な状態となる。
【００４３】
この状態で、ステップＳ３にてレリーズスイッチが操作されたか否かが判定される。ここで、レリーズスイッチがオンされなければ、上記ステップＳ１に移行する。これに対し、レリーズスイッチがオンされれば、ステップＳ４に移行して、撮影部１２による撮影や記録部１４への記録が行われた後、本シーケンスが終了する。この記録は、撮影画像データのみならず、撮影日時や、写っている人の数や顔の位置などもデータとして記録されるものであってもよい。
【００４４】
一方、上記ステップＳ１に於いて、ユーザ１１０の設定により、撮影モードではないと判定された場合は、ステップＳ５以降のステップに従った制御となる。
【００４５】
すなわち、ステップＳ５に於いて、再生モードであるか否かが判定される。その結果、再生モードが設定されている場合は、ステップＳ６に移行して、画像再生を行うべく表示モードが設定される。また、プリントを行いたいい場合には、その操作に従って、後述するステップＳ１６以降で通信が行われる。
【００４６】
このプリントに先立って、ユーザ１１０により、カメラ１０の表示部１６に表示される画像数を増減させることができる。つまり、表示部１６の画面一杯に１枚の画像が表示されるのではなく、図３（ａ）に示されるように、表示部１６に４枚の画像を同時に表示させたり、図１（ｄ）に示されるように、９枚の画像を同時に表示させたり、アスペクト比を変えない形式で縮小して表示枚数を増減させることができる。
【００４７】
つまり、表示画像数を増やせば、たくさんの画像を一度に送ることができ、表示画像数を減らせば、少ない画像を良く確認して送ることができる。
【００４８】
このような切り替えを可能とするために、ステップＳ７にて画像表示数の確認が行われ、表示画像数を増加させる操作が行われると、ステップＳ８に移行して、サムネイルを増加させる処理が行われる。表示されている画像のどれかを拡大する場合には、続くステップＳ９にて拡大操作が判定される。そして、拡大するならばステップＳ１０に移行し、しないのであれば後述するステップＳ１５に、それぞれ移行する。
【００４９】
ステップＳ１０では、表示画像数を減少させることが可能であるか否かが判定される。ここで、画像数を減らせるならば、ステップＳ１１に移行して、画像数を減らして大きく表示させる。一方、もう他の画像がない場合には、ステップＳ１２に移行して、画像そのものが拡大表示される。
【００５０】
また、別画像を選択したい場合には、ステップＳ１３に於いてその操作の判定が行われる。その結果、操作部１５内の十字キーやタッチパネル等の操作により、別画像が選択された場合は、ステップＳ１４に移行して、画像が一画像ずつずらされる。この時の画像表示の切り替えは、例えば、図３のようになる。
【００５１】
つまり、初めに、図３（ａ）に示されるように、画像２０1 ，２０2 ，２０3 ，２０4 がカメラ１０の表示部１６に表示されていたとする。この状態で、例えばカメラ１０の背面部に設けられている操作スイッチ１５ａが押されることにより、画像表示が切り替えられたとする。すると、図３（ｂ）に示されるように、一番新しい画像２０1 が表示部１６の画面から消えて、他の画像２０2 ，２０3 ，２０4 が図中矢印で示されるようにずれて表示され、表示されていなかった画像（画面に表示されていなかったうちで一番新しい撮影画像）２０5 が新たに表示に加わる。
【００５２】
次に、ステップＳ１５に於いて、プリンタ３０との通信の有無が判定される。ここで、通信が行われる場合はステップＳ１６に、行われない場合は上記ステップＳ１に、それぞれ移行する。
【００５３】
プリンタ３０との通信が行われる場合は、ステップＳ１６及びＳ１７にて、表示部１６に表示されている画像全てが送信される。ここでは、先ず、ステップＳ１６にて、カメラ１０の表示部１６で、どのような順番で画像が表示されていたかのレイアウト情報が添付されて送信される。すると、図１（ｅ）に示された画像群４１のように、カメラ１０の表示と同じ画像並びで、プリンタ用モニタ４０に画像表示することが可能となる。その後、ステップＳ１７にて、表示部１６に表示されている画像全てが送信される。
【００５４】
そして、ステップＳ１８にて送信済みであると判定されたならば、新たに画像のダブりがなく、また一括送信できるように、ステップＳ１９に移行して表示も一括で変更される。これは、上記ステップＳ１４にて、画像を一つずつ変更していたのとは異なる画像変更方法である。
【００５５】
この画像変更方法は、図４に示されるようにものである。すなわち、図４（ａ）に示されるように、表示部１６に表示されていた画像２０1 ，２０2 ，２０3 ，２０4 が、図４（ｂ）に示されるように、全て送信されて、全ての表示画像が別画像（２０5 ，２０6 ，２０7 ，２０8 ）に置き換わるような表示方怯である。この状態で送信操作が再度行われると、重なりが無く、画像送信を行うことができる。
【００５６】
上述した図３に示されたような画像の切り替わりでは、この例で言えば、同じ３枚の画像が重複して送られることとなる。このため、ステップＳ１９では、表示されている画像を一括変更するようにしている。
【００５７】
また、上述した通信は、その通信条件によってはうまくいかなかったり、送信画像の数によっては時間がかかりすぎたりする。したがって、通信の最中に、ステップＳ２０にて通信状態が判定される。その結果、通信に支障が無ければステップＳ１８にて送信済みとなるまでステップＳ１８〜Ｓ１９が繰り返される。一方、通信に支障があった場合は、ステップＳ２１に移行して警告が発せられる。尚、通信に支障があったかどうかは、サーバとの通信（後述する図５のフローチャートのステップＳ３７参照）によって判定可能である。その後、本シーケンスが終了する。
【００５８】
ところで、カメラ１０の画面で一度に表示できるサムネイル数を所定数に限定すれば（例えば１６枚等）、１回の画像通信に必要以上の時間をかけずに済み、ストレスのない画像送信が可能となる。あまり大量になると時間もかかるうえ、一度の送信に要するエネルギも多大になり、電池に大きな負荷を与えることとなる。
【００５９】
更に、画像数が多すぎると、ユーザ１１０も正確に送られたかどうかを確認できなくなってしまう。例えば、旅行の後などに、全撮影画像を一枚一枚送信するというのは、手間ばかりかかって効率が悪いが、本実施形態では、こうした状況でも、画像を適度に確認しながら、確実に効率よく画像送信することが可能となる。
【００６０】
また、画像を表示した状態からの送信とは別に、先ず、送信することを決定し、その後、画像を選択するような送信方法もある。これは上述したフローチャートに於いてステップＳ５で再生モードではない場合になされるようになっている。この場合は、ステップＳ２２にて、そのモードに操作されたか否かが判定され、通信が行われる場合は、続くステップＳ２３にて、選択された画像が送信されるようになっている。
【００６１】
これは、例えば、第三者に画像を見せるように、ウェブ上に公開するような場合で、一枚一枚を選択して送るようなシーンで有効である。
【００６２】
次に、図５のフローチャートを参照して、図１のプリンタサーバ６０の制御動作について説明する。
【００６３】
ここでは、先ず、ステップＳ３１に於いて、通信用の電波や赤外線等の信号が受信されたか否かが判定される。ここで、信号が受信されたならば、ステップＳ３２にて通信用の手続きが行われる。次いで、ステップＳ３３に於いて、通信が確立されたか否かが判定される。ここで、通信が確立されない場合は、上記ステップＳ３２へ移行する。一方、通信が確立されたならば、ステップＳ３４に移行して、画像取得が行われる。
【００６４】
そして、ステップＳ３５にて画像取得が終了したか否かが判定されて、終了するまでは、ステップＳ３６に於いて通信状態も確認されながら、通信が継続される。通信がうまく行われた場合は、ステップＳ３７に移行して、カメラ１０側に、その旨を通知するような通信が行われる。これによって、カメラ１０は、図２のフローチャートのステップＳ１８に於いて送信済み判定が可能となる。
【００６５】
上記ステップＳ３５に於いて通信終了と判定されると、続くステップＳ３８にて通信が終了される。更に、ステップＳ３９にて、カメラには通信済み信号が送信されるので、カメラ１０ではこれに基づいて、表示画像の一括切り替えが行われる。そして、ステップＳ４０のサブルーチン「画像表示」にて、そこに表示された画像が選択される。尚、このサブルーチン「画像表示」の詳細な動作については後述する。ここで、選択されない場合は本シーケンスが終了し、選択された場合はステップＳ４２に移行する。
【００６６】
ステップＳ４２では、印刷の有無が判定される。ここで、印刷が行われる場合は、ステップＳ４３に移行して選択された画像について印刷差がなされる。一方、上記ステップＳ４２にて印刷されない場合は、ステップＳ４４に移行して、選択された画像について記録される。その後、本シーケンスが終了する。尚、上述した印刷や記録は、ユーザ１１０操作に従って行われる。
【００６７】
また、図１（ｅ）では、送信された画像をモニタ４０の画面に、画像群４１として小さくまとめて表示した例が示されているが、図７（ａ）に示されるように、画面一杯に画像群４１が表示されるようにしてもよい。この例の方が、画像が大きく見えて、ピントや表情なども容易に確認することができる。
【００６８】
また、図４（ａ）、（ｂ）に示されるように、次々にカメラから画像が送られてくると、図７（ｂ）に示されるような表示となって、前の画像を隠すようなことはせずに、送られてきた全画像が確認できるようにしてもよい。これは、カメラの表示部と違って、専用のモニタであれば、画像を数多く表示しても、各画像が小さすぎて見え難いということがないからである。
【００６９】
そこで、図５のフローチャートのステップＳ４０のサブルーチン「画像表示」では、受信した回数Ｎによって、画面の分割の仕方が決定される。例えば、図７（ａ）は１分割、図７（ｂ）は４分割とされる。カメラから一度に送られた画像が、この分割数分だけ表示可能である。
【００７０】
図６は、図５のフローチャートのステップＳ４０のサブルーチン「画像表示」の詳細な動作を説明するためのフローチャートである。
【００７１】
本ルーチンに入ると、先ず、ステップＳ５１にて、この受信回数Ｎが、制御部６１内の判定部６１ａによってカウントされる。そして、ステップＳ５２で画面の分割数であるＭに０がセットされ、続くステップＳ５３にてＭがインクリメントされると、ステップＳ５４に於いて、上記受信回数Ｎが、インクリメントして算出されるＭの２乗の値と比較される。
【００７２】
ここで、受信回数Ｎが当該Ｍの２乗の値以下となるまでは、上述したステップＳ５３〜Ｓ５４が繰り返される。そして、受信回数Ｎが当該Ｍの２乗の値以下であれば、ステップＳ５５に移行して、受信回数Ｎに従って、画面が４分割、９分割、１６分割、…、と変更される。次いで、ステップＳ５６にて、その分割された画面の各部に、送られて来た画像が当てはめられて表示される。
【００７３】
また、続くステップＳ５７では、この分割された画面内に、一回の送信で受信された画像が並べて表示されて、図７に示されるような表示が実現される。この時、図２のフローチャートのステップＳ１６でカメラから送信された情報に従って、一回の受信で得られた画像の並べ方が決定される。
【００７４】
また、図１の判定部６１ａは、一度に受信した画像数も判定し、定められた分割領域内に、この受信画像を全て並べて表示するように表示制御する。レイアウト情報の反映を行うのも、この判定部６１ａである。尚、画像数をカウントするのではなく、カメラ１０側から、一度に何枚の画像を送信するかの情報を送信し、それを判定して画像数を把握し、処理に反映させるようにしてもよい。
【００７５】
このように、画像の送受信操作が何度行われたかや、一度に送信される画像数を考慮して、カメラ１０で見た複数画像がそのまま表示されるような制御を行うことによって、ユーザは、今、カメラ１０で見て送った画像が送られたかどうかを、直感的に把握、確認することができる。また、どの画像が送信済みで、どの画像が未送信かも確認することができる。
【００７６】
その後、図５のフローチャートのステップＳ４１に移行する。
【００７７】
また、図８（ａ）に示されるように、カメラ１０の表示部１６で画像を拡大して、よく見てからプリンタ３０に送信するようにしてもよい。このようにすると、図８（ａ）に示されるように、カメラ１０に表示された大きさそのままの画像が、図８（ｂ）に示されるように、他の画像に対して比較的大きく表示されるというメリットもある。
【００７８】
これによって、カメラの表示のアスペクト比そのままに、画像を表示することができ、ユーザは、送信したものと同じ表示を探せばよいので、簡単にストレスなく送信画像を確認、或いは、そこから所望の画像を探し出すことができる。
【００７９】
次に、プリンタ用モニタ４０のその他の表示例について説明する。
【００８０】
上述した図７のように、カメラ表示と同じレイアウトで送信先が画像表示すれば、一番分かりやすいが、一度に送信したものが直感的にまとまりになっていればよいとも考えられる。このため、ユーザによっては、図９（ａ）、（ｂ）に示されるように、横一列、或いは、縦一列に表示して、ひとまとまりの感じを出して表示してもよい。この場合は、１回に送信された画像の数で、画面を分割すればよい。
【００８１】
ここでは、４つの画像を送信しているので、モニタ４０の画面上には、縦横とも４つずつの、４×４として表示すればよい。
【００８２】
また、一度に９つの画像を送信する場合には、９×９として表示すればよい。この揚合は、モニタ４０の画面を縦または横に９分割して、それぞれに一度に送信された画像を並べていけばよい。
【００８３】
この時のモニタ４０表示制御は、図１０のフローチャートに従って実行される。
【００８４】
但し、この場合、図８（ａ）に示されるような表示状態で、新たな画像が送信された場合は、図８（ｂ）に示されるような表示は困難である。これは、もう一列並ぶと入らなくなるからである。
【００８５】
そこで、この場合は、図９（ａ）、（ｂ）に示されるように、他の画像と揃えた大きさで画像を表示するようにする。
【００８６】
このような表示を可能とするために、図１０のフローチャートでは、ステップＳ６１〜Ｓ６４で、最も多い画像数を送った送信時を判定し、その画像数にあわせて画面を分割して、その時の画像サイズに合わせるようにしている。
【００８７】
すなわち、図１０の「画像表示」のサブルーチンが開始されると、先ず、ステップＳ６１にて、分割数を表すＭ１に１がセットされる。次いで、ステップＳ６２にて、一度に送信された画像数Ｎ１が判定される。そして、ステップＳ６３に於いて、上記ステップＳ６１及びＳ６２に得られた分割数Ｍ１と画像数Ｎ１とが比較される。
【００８８】
ここで、画像数Ｎ１の方が大きければ、ステップＳ６４に移行して分割数Ｍ１に画像数Ｎ１と同じ数がセットされる。一方、上記ステップＳ６３にて画像数Ｎ１が大きくなければ、ステップＳ６４はスキップされる。
【００８９】
ステップＳ６５では、分割数Ｍ１でもって、モニタ４０の画面が分割される。続いて、ステップＳ６６にて、上記ステップＳ６５で分割された分割数で、画面の左上側から受信画像の大きさが揃えられて表示される。その後、図５のフローチャートのステップＳ４０に移行する。
【００９０】
この表示例では、ユーザが意図した画面の大小関係は乱れる（大きく表示して送信したはずが、小さく見える）ものの、送信した順番に沿った並びでの表示が可能となる。
【００９１】
以上説明したように、本実施形態によれば、一度に送信した画像がひとまとまりになって表示されるので、画像の確認が容易で、且つ、時系列に沿った表示が可能となる。
【００９２】
以上、本発明の実施形態について説明したが、本発明は上述した実施形態以外にも、本発明の要旨を逸脱しない範囲で種々の変形実施が可能である。
【００９３】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００９４】
【図１】本発明の画像処理システムの一実施形態に係るプリントシステムを示すもので、（ａ）はシステム全体の概略構成を示した図、（ｂ）は（ａ）のカメラの構成を示したブロック図、（ｃ）は（ａ）のプリンタサーバの構成を示したブロック図、（ｄ）は再生画像の例を示した図、（ｅ）は（ａ）のモニタ４０に（ｄ）の再生画像が表示された例を示した図である。
【図２】図１のプリントシステムに於けるカメラの制御動作について説明するためのフローチャートである。
【図３】（ａ）は表示部１６に４枚の画像を同時に表示させた例を示した図、（ｂ）は（ａ）の表示状態から新たな画像を表示させる場合の表示例を示した図である。
【図４】画像変更方法を説明するための図である。
【図５】図１のプリンタサーバ６０の制御動作について説明するためのフローチャートである。
【図６】図５のフローチャートのステップＳ３９のサブルーチン「画像表示」の詳細な動作を説明するためのフローチャートである。
【図７】モニタ４０の画面分割について説明するための図である。
【図８】カメラ１０に表示される画像とプリンタ用モニタ４０に表示される画像の大きさについて説明するための図である。
【図９】プリンタ用モニタ４０のその他の表示例について説明するための図である。
【図１０】図５のフローチャートのステップＳ３９のサブルーチン「画像表示」のその他の詳細な動作を説明するためのフローチャートである。
【符号の説明】
【００９５】
１…プリントシステム、１０…カメラ、１１…制御部、１１ａ…切替部、１２…撮影部、１３…時計部、１４…記録部、１５、６２…操作部、１６…表示部、１８、６３…通信部、１９…電源部、３０…プリンタ、４０…プリンタ用モニタ、６０…プリンタサーバ、６１…制御部、６１ａ…判定部、６５…仮記憶部、６６…表示制御部、６７…プリント制御部、１００…通信系、１１０…ユーザ。
【図１】
2010057021.tif 000003
【図２】
2010057021.tif 000004
【図３】
2010057021.tif 000005
【図４】
2010057021.tif 000006
【図５】
2010057021.tif 000007
【図６】
2010057021.tif 000008
【図７】
2010057021.tif 000009
【図８】
2010057021.tif 000010
【図９】
2010057021.tif 000011
【図１０】
2010057021.tif 000012